(57)【要約】【課題】電源ケーブルの配線工事による期間、つまり電源配電期間の短縮が図れ、機器利用者の利便性の向上と電源設備の継続的利用を可能とする電源配電設備。【解決手段】分電盤とは別に電源供給用ラック及び複数の機器が搭載される機器搭載用ラックを有し、これらの分電盤、又は電源供給用ラック、及び機器搭載用ラックに、前記分電盤の電圧／電流端子に接続される複数の電圧／電流給用口を持つ第1コンセント、当該コンセントに接続される複数の電圧／電流送出口を持つ第２コンセント、前記機器搭載用ラックに搭載される機器の設計仕様範囲内で最高電圧／電流仕様の複数の機器口を持つ第３コンセントを設けた。【選択図】図１
2014082913.tif 000002
【特許請求の範囲】
【請求項１】
複数の電源供給源を有する複数の分電盤と、前記分電盤とは別に電源供給用ラックと、複数の機器が搭載される機器搭載用ラックと、前記分電盤の電源供給源の電圧／電流端子に接続される複数の電圧／電流給用口を持つ第1コンセントと、当該第1コンセントに接続される複数の電圧／電流送出口を持つ第２コンセントと、当該第２コンセントに接続される複数の機器口を持つ第３コンセントと、を有する電源配電設備であって、
前記第１、第２、第３コンセントは、前記機器搭載用ラックに搭載される機器の設計仕様範囲内で最高電圧／電流仕様を有し、
前記第１コンセントは、前記分電盤又は前記電源供給用ラックに配設し、前記第２コンセントは、前記電源供給用ラックに配設し、前記第３コンセントは、前記機器搭載用ラックに配設し、
前記第１コンセントと前記第２コンセントとの接続組合せをもって、前記分電盤の電圧／電流を前記機器に対応する電圧／電流に変更することを可能とし、
前記電源供給用ラックの第２コンセントと機器未搭載状態の前記機器搭載用ラックの第３コンセントを電源ケーブルにより事前配線しておくことを特徴とする電源配電設備。
【請求項２】
請求項１に記載された電源配電設備において、
前記複数の分電盤の電源供給源は、１００Ｖ用電源及び２００Ｖ用電源を供給するものであって、２つの１００Ｖ／２０Ａの電源供給源及び１つの２００Ｖ／２０Ａ、１つの２００Ｖ／３０Ａからなり、
前記第１、第２、第３コンセントは、前記機器搭載用ラックに搭載される前記機器が１００Ｖ（５―１５）、１００Ｖ（Ｌ５−２０）、２００Ｖ（Ｌ６−２０）、２００Ｖ（Ｌ６−３０）の電源仕様である場合、最高電圧／電流仕様の２００Ｖ（Ｌ６−３０）の電源形状のコンセントであることを特徴とする電源配電設備。
【請求項３】
複数の電源供給源を有する複数の分電盤と、前記分電盤とは別に電源供給用ラックと、複数の機器が搭載される機器搭載用ラックと、を有する電源配電設備であって、
前記電源供給用ラックは、
前記機器搭載用ラックに搭載される機器の設計仕様範囲内で最高電圧／電流仕様であって、前記分電盤の電源供給源の電圧／電流端子に接続される複数の電圧／電流給用口を持つ第1コンセント及び当該コンセントに接続される複数の電圧／電流送出口を持つ第２コンセントを有し、
前記機器搭載用ラックは、
前記機器搭載用ラックに搭載される機器の設計仕様範囲内で最高電圧／電流仕様の複数の機器口を持つ第３コンセントを有し、
前記第１コンセントと前記第２コンセントとの接続組合せをもって、前記分電盤の電圧／電流を前記機器に対応する電圧／電流に変更することを可能とし、
前記電源供給用ラックの第２コンセントと機器未搭載状態の前記機器搭載用ラックの第３コンセントを電源ケーブルにより事前配線しておくことを特徴とする電源配電設備。
【請求項４】
請求項３に記載された電源配電設備において、
前記複数の分電盤の電源供給源は、１００Ｖ用電源及び２００Ｖ用電源を供給するものであって、２つの１００Ｖ／２０Ａの電源供給源及び１つの２００Ｖ／２０Ａ、１つの２００Ｖ／３０Ａからなり、
前記第１、第２、第３コンセントは、前記機器搭載用ラックに搭載される前記機器が１００Ｖ（５―１５）、１００Ｖ（Ｌ５−２０）、２００Ｖ（Ｌ６−２０）、２００Ｖ（Ｌ６−３０）の電源仕様である場合、最高電圧／電流仕様の２００Ｖ（Ｌ６−３０）の電源形状のコンセントであることを特徴とする電源配電設備。
【請求項５】
複数の電源供給源を有する分電盤と、前記分電盤とは別に電源供給用ラックと、複数の機器が搭載される機器搭載用ラックと、を有する電源配電設備であって、
前記複数の分電盤は、
前記機器搭載用ラックに搭載される機器の設計仕様範囲内で最高電圧／電流仕様であって、当該分電盤の電源供給源の電圧／電流端子に接続される複数の電圧／電流給用口を持つ第1コンセントを有し、
前記電源供給用ラックは、
前記機器搭載用ラックに搭載される機器の設計仕様範囲内で最高電圧／電流仕様であって、前記第1コンセントに接続される複数の電圧／電流送出口を持つ第２コンセントを有し、
前記機器搭載用ラックは、
前記機器搭載用ラックに搭載される機器の設計仕様範囲内で最高電圧／電流仕様の複数の機器口を持つ第３コンセントを有し、
前記第１コンセントと前記第２コンセントとの接続組合せをもって、前記分電盤の電圧／電流を前記機器に対応する電圧／電流に変更することを可能とし、
前記電源供給用ラックの第２コンセントと機器未搭載状態の前記機器搭載用ラックの第３コンセントを電源ケーブルにより事前配線しておくことを特徴とする電源配電設備。
【請求項６】
請求項５に記載された電源配電設備において、
前記複数の分電盤の電源供給源は、１００Ｖ用電源及び２００Ｖ用電源を供給するものであって、２つの１００Ｖ／２０Ａの電源供給源及び１つの２００Ｖ／２０Ａ、１つの２００Ｖ／３０Ａからなり、
前記第１、第２、第３コンセントは、当該ラックに搭載される前記機器が１００Ｖ（５―１５）、１００Ｖ（Ｌ５−２０）、２００Ｖ（Ｌ６−２０）、２００Ｖ（Ｌ６−３０）の電源仕様である場合、最高電圧／電流仕様の２００Ｖ（Ｌ６−３０）の電源形状のコンセントであることを特徴とする電源配電設備。
【発明の詳細な説明】
【技術分野】
【０００１】
本発明は、ラックに搭載される複数の機器に対応可能な電源配電設備に関する。
【背景技術】
【０００２】
ラックに搭載される機器は、その電圧／電流の仕様が同一とは限らず、むしろ相違するケースが多々ある。
このような仕様の相違する機器の電源を分電盤から供給しようとする場合、その都度、機器に合わせた電源ケーブルの配線工事が必要となっていた。
【０００３】
本技術分野の背景技術として、特開２００７−２１５２５７号公報（特許文献１）がある。この文献には、「交流電力系統４からの交流電力を力率改善して直流電力に変換して出力する力率改善整流回路６と、自ら発電して直流電力を出力する分散型電源１と、力率改善整流回路からの直流電力または分散型電源からの直流電力を選択する電力スイッチ７と、電力スイッチ７の出力側に並列接続される蓄電器３および負荷に電力を供給するための配線８と、電力スイッチを制御する電源制御部２と、を備え、」、「交流電力系統における電力品質の悪化の発生を引き起こすことを防止し、直流電力を負荷に供給できる分散型電源配電システムを提供する。」と記載されている（要約参照）。
【先行技術文献】
【特許文献】
【０００４】
【特許文献１】特開２００７−２１５２５７号公報
【発明の開示】
【発明が解決しようとする課題】
【０００５】
前記特許文献１には、分散型電源配電システムおよび分散型電源装置が記載されている。しかし、分散型電源から複数の機器への配電は、力率改善電源回路と分散型電源とを電力スイッチをもって切替えて行うものであって、複数のラックに多種多様な電源、電流を必要とする複数の機器を搭載し、当該機器への電源供給のための電源ケーブルの配線については特に考慮されていない。
【０００６】
従って、従来は、図４に示す如く、電源利用要件発生、工事業者へ発注、工事実施、電源利用開始の手順となっていた。即ち、機器搭載用ラック（１９インチラックなど）に機器を新規に搭載し、当該機器に電源を供給する必要が発生した場合、まず工事業者へ電源ケーブルの配線工事を発注する。次いで、当該配線工事までの所要期間を待って、当該工事業者により、分電盤から機器の設置場所まで、電圧（１００Ｖ／２００Ｖ）や電流（１５Ａ／２０Ａ／３０Ａ）に適合した配線工事を実施して貰っていた。この配線工事の所要期間（納期期間）は、一般的に二週間〜四週間程度の納期が必要とされている。
【０００７】
また、機器搭載用ラックに搭載される機器のリプレース等にて今まで使用していた電源が次に利用する機器の電源や電流などに違いが発生した場合には、既存の電源ケーブルを再利用できないことから、既存電源ケーブルの撤去と、新規電源ケーブルの再配線工事が必要となっていた。
【０００８】
要するに、従来にあっては、ラックに機器を設置し、またラックの機器を取り替える場合、その都度、工事業者への発注、配線工事を繰り替えして行った後でないと、機器の利用ができない状況にあった。従って、電源工事の都度、業者へ発注と工事が必要であった。また、工事内容によって既存ケーブル撤去及び再配線工事が必要であり、電源の利用開始まで時間が掛かっていた。
【課題を解決するための手段】
【０００９】
本発明は、かかる点に鑑み、電源ケーブルの配線工事による期間、つまり電源配電期間の短縮が図れ、機器利用者の利便性の向上と電源設備の継続的利用を可能とする電源配電設備を提供することにある。
【００１０】
本発明は、前記目的を達成するため、分電盤とは別に電源供給用ラック及び複数の機器が搭載される機器搭載用ラックを有し、これらの分電盤、又は電源供給用ラック、及び機器搭載用ラックに、前記分電盤の電圧／電流端子に接続される複数の電圧／電流給用口を持つ第1コンセント、当該コンセントに接続される複数の電圧／電流送出口を持つ第２コンセント、前記機器搭載用ラックに搭載される機器の設計仕様範囲内で最高電圧／電流仕様の複数の機器口を持つ第３コンセントを設けたものである。
【００１１】
例えば、本発明の電源配電設備は、複数の電源供給源を有する複数の分電盤と、前記分電盤とは別に電源供給用ラックと、複数の機器が搭載される機器搭載用ラックと、前記分電盤の電源供給源の電圧／電流端子に接続される複数の電圧／電流給用口を持つ第1コンセントと、当該第1コンセントに接続される複数の電圧／電流送出口を持つ第２コンセントと、当該第２コンセントに接続される複数の機器口を持つ第３コンセントと、を有する電源配電設備であって、前記第１、第２、第３コンセントは、前記機器搭載用ラックに搭載される機器の設計仕様範囲内で最高電圧／電流仕様を有し、前記第１コンセントは、前記分電盤又は前記電源供給用ラックに配設し、前記第２コンセントは、前記電源供給用ラックに配設し、前記第３コンセントは、前記機器搭載用ラックに配設し、前記第１コンセントと前記第２コンセントとの接続組合せをもって、前記分電盤の電圧／電流を前記機器に対応する電圧／電流に変更することを可能とし、前記電源供給用ラックの第２コンセントと機器未搭載状態の前記機器搭載用ラックの第３コンセントを電源ケーブルにより事前配線しておくことを特徴とする。
【００１２】
また、本発明の電源配電設備は、複数の電源供給源を有する複数の分電盤と、前記分電盤とは別に電源供給用ラックと、複数の機器が搭載される機器搭載用ラックと、を有する電源配電設備であって、前記電源供給用ラックは、前記機器搭載用ラックに搭載される機器の設計仕様範囲内で最高電圧／電流仕様であって、前記分電盤の電源供給源の電圧／電流端子に接続される複数の電圧／電流給用口を持つ第1コンセント及び当該コンセントに接続される複数の電圧／電流送出口を持つ第２コンセントを有し、前記機器搭載用ラックは、前記機器搭載用ラックに搭載される機器の設計仕様範囲内で最高電圧／電流仕様の複数の機器口を持つ第３コンセントを有し、前記第１コンセントと前記第２コンセントとの接続組合せをもって、前記分電盤の電圧／電流を前記機器に対応する電圧／電流に変更することを可能とし、前記電源供給用ラックの第２コンセントと機器未搭載状態の前記機器搭載用ラックの第３コンセントを電源ケーブルにより事前配線しておくことを特徴とする。
【００１３】
また、本発明の電源配電設備は、複数の電源供給源を有する分電盤と、前記分電盤とは別に電源供給用ラックと、複数の機器が搭載される機器搭載用ラックと、を有する電源配電設備であって、前記複数の分電盤は、前記機器搭載用ラックに搭載される機器の設計仕様範囲内で最高電圧／電流仕様であって、当該分電盤の電源供給源の電圧／電流端子に接続される複数の電圧／電流給用口を持つ第1コンセントを有し、前記電源供給用ラックは、前記機器搭載用ラックに搭載される機器の設計仕様範囲内で最高電圧／電流仕様であって、前記第1コンセントに接続される複数の電圧／電流送出口を持つ第２コンセントを有し、前記機器搭載用ラックは、前記機器搭載用ラックに搭載される機器の設計仕様範囲内で最高電圧／電流仕様の複数の機器口を持つ第３コンセントを有し、前記第１コンセントと前記第２コンセントとの接続組合せをもって、前記分電盤の電圧／電流を前記機器に対応する電圧／電流に変更することを可能とし、前記電源供給用ラックの第２コンセントと機器未搭載状態の前記機器搭載用ラックの第３コンセントを電源ケーブルにより事前配線しておくことを特徴とする。
【００１４】
前記複数の分電盤の電源供給源は、１００Ｖ用電源及び２００Ｖ用電源を供給するものであって、２つの１００Ｖ／２０Ａの電源供給源及び１つの２００Ｖ／２０Ａ、１つの２００Ｖ／３０Ａからなり、前記第１、第２、第３コンセントは、前記機器搭載用ラックに搭載される前記機器が１００Ｖ（５―１５）、１００Ｖ（Ｌ５−１５）、２００Ｖ（Ｌ６−２０）、２００Ｖ（Ｌ６−３０）の電源仕様である場合、最高電圧／電流仕様の２００Ｖ（Ｌ６−３０）の電源形状のコンセントであることを特徴とする。
【発明の効果】
【００１５】
本発明によれば、従来の課題を是正することができ、電源利用機器の導入に必要な電源工事について、機器の仕様に適合した電源をタイムリーに準備し、準備期間の短縮が図れ、利便性の向上と電源設備の継続的利用を可能とする電源配電設備を提供することができる。
【図面の簡単な説明】
【００１６】
【図１】本発明の第１の実施例を示す電源配電設備の全体構成を示す図である。
【図２】本発明の第２の実施例を示す電源配電設備の全体構成を示す図である。
【図３】本発明の電源準備の施工の流れ手順を示す図である。
【図４】従来の電源準備の施工の流れ手順を示す図である。
【発明を実施するための形態】
【００１７】
本実施例では、分電盤の電源として、最大電圧２００Ｖ／最大電流３０Ａとした場合のシステム構成とし、１００Ｖ２０Ａ（電源形状：ＮＥＭＡ  ５−１５）、１００Ｖ２０Ａ（電源形状：ＮＥＭＡ  Ｌ５−２０）、２００Ｖ２０Ａ（電源形状：ＮＥＭＡ  Ｌ６−２０）、２００Ｖ３０Ａ（電源形状：ＮＥＭＡ  Ｌ６−３０）とし、電源の最大電圧／最大電流を２００Ｖ／３０Ａ（電源形状：ＮＥＭＡ  Ｌ６−３０）とした場合を例として説明する。
【実施例１】
【００１８】
図１は、既存の分電盤を使用して、当該分電盤から機器（サーバ等）が搭載される機器搭載用ラックへの電源ケーブルの配線を実現可能とした例を示す図である。
【００１９】
電源配電設備は、分電盤１００、電源供給用ラック２００、機器搭載用ラック３００を有する。
【００２０】
分電盤１００は、２つの分電盤１１０、１２０を有する。分電盤１１０は、１００Ｖ用電源を供給するものであって、１００Ｖ２０Ａの電源１１１、１００Ｖ２０Ａの電源１１２を有する。分電盤１２０は、２００Ｖ用電源を供給するものであって、２００Ｖ３０Ａの電源１２１、２００Ｖ２０Ａの電源１２２を有する。
【００２１】
電源供給用ラック２００は、電源供給用コンセント２１０（以下、第１コンセントと言う）、電源送出用コンセント２２０（以下、第２コンセントと言う）を有する。第１コンセント２１０は、４つの電源供給用端子２１１、２１２、２１３、２１４を有し、第２コンセント２２０は、４つの電源送出用端子２２１、２２２、２２３、２２４を有する。そして、これら４つの端子の電源形状は、何れも電源形状ＮＥＭＡ  Ｌ６−３０とする。当該電源供給用ラック３００は、例えば分電盤１００との接続を考慮して分電盤１１０、１２０の近傍に配置する。
【００２２】
第１コンセント２１０と第２コンセント２２０は、４本の電源コード２１５、２１６、２１７、２１８により接続する。これらの接続は、必要な電圧／電流に応じて変更すれば良い。即ち、第1コンセント２１０と第２コンセント２２０は、機器搭載用ラック３００に搭載される機器４１０〜４４０の電源仕様に応じて、ケーブル１８５〜１８８により接続される。
【００２３】
機器搭載用ラック３００は、複数のラック、例えば３つの１９インチラック３１０、３２０、３３０と、１つの機器ラック３４０（１９インチラックとは別）を有する。機器搭載用ラック３００は、これらのラックに限定する必要はなく、１つのラックでも良い。
【００２４】
１９インチラック３１０、３２０、３３０及び機器ラック３４０は、それぞれ電源享受用コンセント３５０、３６０、３７０、３８０（以下、第３コンセントと言う）を有する。
【００２５】
１９インチラック３１０の第３コンセント３５０は、１つの電源享受用端子３５１を有し、１９インチラック３２０の第３コンセント３６０は、４つの電源享受用端子３６１、３６２、３６３、３６４を有し、１９インチラック３３０の第３コンセント３７０は、４つの電源享受用端子３７１、３７２、３７３、３７４を有し、機器ラック３４０の第３コンセント３８０は、１つの電源享受用端子３８１を有する。そして、これら４つの第３コンテンツの各端子の電源形状は、何れも電源形状ＮＥＭＡ  Ｌ６−３０とする。
【００２６】
ここで、１９インチラック３１０には、１００Ｖ（５−１５）機器４１０を搭載し、１９インチラック３２０には、２００Ｖ（Ｌ６−３０）機器４２０を搭載し、１９インチラック３３０には、２００Ｖ（Ｌ６−３０）機器４３０を搭載し、機器ラック３４０には、１００Ｖ（Ｌ５−２０）機器を搭載することを想定する。つまり、１９インチラック以外の様々な機器ラックに対応可能である。
【００２７】
第２コンセントと第３コンセントは、４本の電源ケーブル２２５〜２２８により、接続する。第３コネクタは、予め準備の電源ケーブル２２５〜２２８にて電源利用機器の電源形状に合致したコネクタとする。
【００２８】
第１、第２、第３コンセント及び電源ケーブルは、使用が想定される電源規格（電源形状ＮＥＭＡ  ５−１５、ＮＥＭＡ  Ｌ５−２０、ＮＡＭＡ  Ｌ６−２０、ＮＡＭＡ  Ｌ６−３０）の中から、最大電圧／最大電流（ＮＥＭＡ  Ｌ６−３０）に対応できるものを使用する。また、電源ケーブルの両端は、最大電圧／最大電流に対応できるコネクタ形状（電源形状）とする。
【００２９】
例えば、機器搭載ラック３００の１９インチラック３１０に搭載される機器４１０が１００Ｖ（５−１５）の場合には、そのコネクタ形状と最大電圧／最大電流に対応できる電源形状とが相違することになることから、１００Ｖ（５−１５）のコネクタを第３コネクタに直接接続することができない。この場合には、コネクタの形状に対応する電源形状（電源形状凡例参照）を有するオプションコンセント５１０を介して第３コンセント３５０の端子３５１に接続する。つまり、オプションコンセント５１０をもって機器４１０の電源規格に合致した形状にして接続する。
【００３０】
機器搭載ラック３００の１９インチラック３２０に搭載される機器４２０が２００Ｖ（Ｌ６−３０）の場合には、そのコネクタ形状と最大電圧／最大電流に対応できる電源形状とが一致するので、機器の電源を直接第３コネクタ３６０の端子３６１〜３６４の何れかに接続する。
【００３１】
機器搭載ラック３００の１９インチラック３３０に搭載される機器４３０が２００Ｖ（Ｌ６−２０）の場合には、そのコネクタ形状と最大電圧／最大電流に対応できる電源形状とが相違することになることから、２００Ｖ（Ｌ６−２０）のコネクタを第３コネクタ３７０に直接接続することができない。この場合には、第３コネクタの形状に対応する電源形状（電源形状凡例参照）を有するオプションコンセント５３０を介して第３コンセント３７０の端子３７１〜３７４の何れかに接続する。つまり、オプションコンセント５３０をもって機器４３０の電源規格に合致した形状にして接続する。
【００３２】
機器搭載ラック３００の機器ラック３４０に搭載される機器４４０が１００Ｖ（Ｌ５−２０）の場合には、そのコネクタ形状と最大電圧／最大電流に対応できる電源形状とが相違することになることから、１００Ｖ（Ｌ５−２０）のコネクタを第３コネクタ３８０に直接接続することができない。この場合には、第３コネクタの形状に対応する電源形状（電源形状凡例参照）を有するオプションコンセント５４０を介して第３コンセント３８０の端子３８１に接続する。つまり、オプションコンセント５４０をもって機器４４０の電源規格に合致した形状にして接続する。
【００３３】
要するに、使用が想定される電源規格の最大電圧／最大電流に対応できる電源ケーブルを機器が設置される機器搭載用ラックと分電盤及び／又は電源供給用ラックとの間に電源規格の最大電圧／最大電流に対応できる複数のコネクタを介して事前に配設しておく。また、各コネクタは、ケーブルの両端を、電源規格の最大電圧／最大電流に対応できるコネクタ形状とする。電源を使用する際には、電源供給用ラック内、又は分電盤と電源供給用ラック間の配線を電源コードにより接続する。これらにより、利用者による機器への電源供給を可能状態とする。例えば、電源供給用ラックに最大電圧／最大電流（ＮＥＭＡ  Ｌ６−３０）規格のコンセントを配置しているので、それ以下の電圧／電流の電源に対応することができる。
【００３４】
係る実施例において、機器を利用する場合には、まず、第１、第２コンセント２１０、２２０の電源コード２１５〜２１８による接続組合せをもって、使用する機器４１０〜４４０の電源仕様に合った電源が第２コンセント２２０の電源送出用端子２２１〜２２４に得られるようにする。そして、利用者自身が機器搭載用ラック３００に所望の機器を搭載し、当該機器の電源コードのコンセントを第３コンセント３５０、３６０、３７０、３８０の何れかに接続すれば良い。このとき、第３コンセントの電源形状と機器の電源コードの差し込み口の形状が相違する場合には、第３コンセントに対応可能なオプションコンセントを介して接続する。
【００３５】
これにより、図３に示す如く、電源利用要件発生、電源コード／電源ケーブル接続、電源利用開始の手順で済み、工事業者に配線工事を発注する必要がなくなった。これにより、納期期間が省略できる。即ち、前もって電源コード／電源ケーブルの接続が行っているので、利用者が機器の電源コードを第３コンセントに接続することにより、機器の利用が可能となり、業者への配線工事発注が不要となり、その分のコスト低減化が図れる。また、即対応が可能であるので、利用開始までの期間を短縮できる。また、更に配線設備を耐用年数継続的な利用が可能となり、その期間、電源ケーブルを廃棄する必要がなく、省資源化が図れる。
【実施例２】
【００３６】
図２は、分電盤として、本発明専用の専用分電盤を使用して、当該分電盤から機器（サーバ等）が搭載される機器搭載用ラックへの電源ケーブル配線を実現可能とした例を示す図である。
【００３７】
本実施例は、第１の実施例と相違する点は、２つの第１コンセント２１０、２１０’を用意し、当該第１コンセントを２つの分電盤１１０、１２０にそれぞれ設置し、１つの第２コンセント２２０を電源供給用ラック２００に設置した点にある。
【００３８】
上述した実施例によれば、以下のような効果を期待することができる。
電源利用機器のリプレース等で電源の仕様に変更があった場合でも、既に既設した電源ケーブルの再利用が可能であり、長期的な利用による省資源化が期待できる。例えば、機器搭載ラックや機器は５年に一度、入れ替える場合が生じても、配電設備は、その耐用年数（約２０年）は持たせることが可能である。また、事前の電源ケーブル配線により、業者による業者による電源工事が不要である。また、電源ケーブル接続で様々な規格（仕様）に対応した電源を短期間で準備することができ、利用開始期間の短縮化が図れる。電源／電圧の変更のための切替が容易である。電源コネクタを床下に埋設する必要がないので、その管理が容易である。
電源供給用ラック２００をＮＥＭＡ  Ｌ６−３０規格で作成した場合、２００Ｖ／３０Ａ以下の電源に対応可能である。
第３コンセントにて、ラックに搭載される機器の電源規格に合致した形状にして接続することが容易に行える。
【００３９】
以上述べた実施例によれば、以下のような効果を奏することができる。
新規で電源利用機器を導入する場合において、機器の変更等で電源の要件が変更になっても電源工事不要である。
また、電源利用機器のリプレース等で電源の要件が変わった場合でも電源ケーブルの再利用が可能となり電源工事不要である。
また、将来を見据えて使用が想定される電源規格(NEMA L6-30等)の最大電圧／最大電流に対応できる電源ケーブルを事前配線しているので、追加の電源工事が不要である。
また、配線した電源ケーブルは電源利用機器がリプレースされても再利用が出来る為、耐用年数(約20年)まで利用が可能である。
利用開始期間の短縮（お客様からのタイムリーな要求に答える事）ができる。
接続する電圧/電流の切替が容易である。
電源コネクタが床下に埋まる事が無いので管理が容易である
電源供給路への給電開始時、有資格者（電気工事士）による作業が不要である。
【００４０】
なお、本発明は、上記した実施例限定されるものではなく、様々な変形例が含まれる。例えば、上記した実施例は本発明を分かりやすく説明するために詳細に説明したものであり、必ずしも説明した全て構成を備えるもの限定されるものではない。また、実施例の構成の一部について、他構成の追加、削除、置換をすることが可能である。
【産業上の利用可能性】
【００４１】
データセンタ構築時の大規模工事でコスト低減を考慮したハウジング事業などに適用可能である。
【符号の説明】
【００４２】
１００  分電盤
１１１、１１２、１２１、１２２  電源供給用コンセント（第１コンセント）
２００  電源供給用ラック
２２０  電源送出用コンセント（第２コンセント）
２１５〜２１８  電源コード（パッチ電源コード）
２２５〜２２８  電源ケーブル（事前配線パワーケーブル）
３００  機器搭載用ラック
３５０、３６０、３７０、３８０  電源享受用コンセント（第３コンセント）
４００  搭載機器
５１０、５３０、５４０  オプションコンセント
【図１】
2014082913.tif 000003
【図２】
2014082913.tif 000004
【図３】
2014082913.tif 000005
【図４】
2014082913.tif 000006